(57)【要約】【課題】  簡単な処理で円滑かつ迅速にディスク判別を行い得る光ディスク装置およびディスク判別方法を提供する。【解決手段】  反射光量に応じたＳＵＭ信号と、ラジアルプッシュプル（ＲＰＰ）信号の周期（ゼロクロス点間隔Ｔ）および振幅値Ａをもとにディスク判別を行う。具体的には、ゼロクロス点間隔Ｔが閾値Ｔ１以下であればＨＤＤＶＤと判別し（S110,111）、閾値Ｔ１を越えていればＤＶＤまたはＣＤと判別する（S110,112）。  判断結果がＤＶＤまたはＣＤの場合には、図３に示す処理にて、ＲＰＰ信号の振幅値ＡとＳＵＭ信号をもとに、さらに細かく区分する（S113）。具体的には、Ａ＞Ａ１かつＡ＜Ａ２ならＤＶＤ±Ｒ、Ａ＞Ａ１かつＡ≧Ａ２ならＤＶＤ±ＲＷ、Ａ≦Ａ１かつＳＵＭ＞Ｓ２かつＳＵＭ≧Ｓ１ならＤＶＤ−ＲＯＭ、ＳＵＭ＜Ｓ１ならＣＤ、Ａ＞Ａ１かつＳＵＭ≦Ｓ２ならＤＶＤ−ＲＡＭと判別する。【選択図】    図２
2006031779.tif 000002
【特許請求の範囲】
【請求項１】
レーザ光をディスクに照射する光ピックアップと、ディスクに対するレーザ光のフォーカス制御を行うフォーカス制御手段と、ディスクからの戻り光を受光してラジアルプッシュプル信号を生成出力する信号生成手段と、前記信号生成手段からのプッシュプル信号に基づいてディスク種別を判別するディスク判別手段とを備え、
前記ディスク判別手段は、所定波長のレーザ光をディスクにフォーカス合わせしたときに前記信号生成手段から出力されるプッシュプル信号の振幅値に基づいてディスク種別を判別する、
ことを特徴とする光ディスク装置。
【請求項２】
異なる波長のレーザ光をディスクに照射する光ピックアップと、ディスクに対するレーザ光のフォーカス制御を行うフォーカス制御手段と、ディスクからの戻り光を受光してラジアルプッシュプル信号を生成出力する信号生成手段と、前記信号生成手段からのプッシュプル信号に基づいてディスク種別を判別するディスク判別手段とを備え、
前記ディスク判別手段は、所定波長のレーザ光をディスクにフォーカス合わせしたときに前記信号生成手段から出力されるプッシュプル信号の周期と振幅値に基づいてディスク種別を判別する、
ことを特徴とする光ディスク装置。
【請求項３】
請求項２において
前記ディスク判別手段は、前記プッシュプル信号の周期に基づいて第１の判別を行い、さらに、前記第１の判別によって判別されたディスク種別に含まれるディスク群に対し前記プッシュプル信号の振幅値に基づいて第２の判別を行う、
ことを特徴とする光ディスク装置。
【請求項４】
異なる波長のレーザ光をディスクに照射する光ピックアップと、ディスクに対するレーザ光のフォーカス制御を行うフォーカス制御手段と、ディスクからの戻り光を受光して光量に応じた信号を出力する光量検出手段と、ディスクからの戻り光を受光してラジアルプッシュプル信号を出力する信号生成手段と、前記光量検出手段および前記信号生成手段からの信号に基づいてディスク種別を判別するディスク判別手段とを備え、
前記ディスク判別手段は、所定波長のレーザ光をディスクにフォーカス合わせしたときに前記光量検出手段から出力される信号の大きさと、前記信号生成手段から出力されるプッシュプル信号の振幅値に基づいてディスク種別を判別する、
ことを特徴とする光ディスク装置。
【請求項５】
請求項４において
前記ディスク判別手段は、前記プッシュプル信号の振幅値に基づいて第１の判別を行い、さらに、前記第１の判別によって判別されたディスク種別に含まれるディスク群に対し前記光量検出手段から出力される信号の大きさに基づいて第２の判別を行う、
ことを特徴とする光ディスク装置。
【請求項６】
異なる波長のレーザ光をディスクに照射する光ピックアップと、ディスクに対するレーザ光のフォーカス制御を行うフォーカス制御手段と、ディスクからの戻り光を受光して光量に応じた信号を出力する光量検出手段と、ディスクからの戻り光を受光してラジアルプッシュプル信号を出力する信号生成手段と、前記光量検出手段および前記信号生成手段からの信号に基づいてディスク種別を判別するディスク判別手段とを備え、
前記ディスク判別手段は、所定波長のレーザ光をディスクにフォーカス合わせしたときに前記光量検出手段から出力される信号の大きさと、前記信号生成手段から出力されるプッシュプル信号の周期および振幅値に基づいてディスク種別を判別する、
ことを特徴とする光ディスク装置。
【請求項７】
請求項６において
前記ディスク判別手段は、前記プッシュプル信号の周期に基づいて第１の判別を行い、前記第１の判別によって判別されたディスク種別に含まれるディスク群に対し前記プッシュプル信号の振幅値に基づいて第２の判別を行い、さらに、前記第２の判別によって判別されたディスク種別に含まれるディスク群に対し光量検出手段から出力される信号の大きさに基づいて第３の判別を行う、
ことを特徴とする光ディスク装置。
【請求項８】
請求項１ないし７の何れかにおいて、
前記ディスク判別手段は、波長が最も短いレーザ光をディスクに照射してディスク判別を行う、
ことを特徴とする光ディスク装置。
【請求項９】
請求項８において、
前記ディスク判別手段は、青紫レーザ光をディスクに照射してディスク判別を行う、
ことを特徴とする光ディスク装置。
【請求項１０】
請求項１ないし９の何れかにおいて、
前記ディスク判別手段は、ディスクを回転させながら所定波長のレーザ光をディスクに照射してディスク判別を行う、
ことを特徴とする光ディスク装置。
【請求項１１】
請求項１ないし１０の何れかにおいて、
前記ディスク判別手段は、ディスクに対してレーザ光を径方向に移動させたときの前記プッシュプル信号をもとにディスク判別を行う、
ことを特徴とする光ディスク装置。
【請求項１２】
所定波長のレーザ光をディスクにフォーカス合わせし、このときに検出されるラジアルプッシュプル信号の振幅値に基づいてディスク種別を判別する、
ことを特徴とするディスク判別方法。
【請求項１３】
所定波長のレーザ光をディスクにフォーカス合わせし、このときに検出されるラジアルプッシュプル信号の周期と振幅値に基づいてディスク種別を判別する、
ことを特徴とするディスク判別方法。
【請求項１４】
所定波長のレーザ光をディスクにフォーカス合わせし、このときに検出されるディスクからの戻り光量に応じた信号の大きさと、ラジアルプッシュプル信号の振幅値に基づいてディスク種別を判別する、
ことを特徴とするディスク判別方法。
【請求項１５】
所定波長のレーザ光をディスクにフォーカス合わせし、このときに検出されるディスクからの戻り光量に応じた信号の大きさと、ラジアルプッシュプル信号の周期および振幅値に基づいてディスク種別を判別する、
ことを特徴とするディスク判別方法。
【請求項１６】
請求項１２ないし１５の何れかにおいて、
ディスクに照射し得るレーザ光のうち波長が最も短いレーザ光をディスクに照射してディスク判別を行うことを特徴とする光ディスク判別方法。
【請求項１７】
請求項１６において、
青紫レーザ光をディスクに照射してディスク判別を行うことを特徴とするディスク判別方法。
【請求項１８】
請求項１２ないし１７の何れかにおいて、
ディスクを回転させながら所定波長のレーザ光をディスクに照射してディスク判別を行うことを特徴とするディスク判別方法。
【請求項１９】
請求項１２ないし１８の何れかにおいて、
ディスクに対してレーザ光を径方向に移動させたときの前記プッシュプル信号をもとにディスク判別を行うことを特徴とするディスク判別方法。
【発明の詳細な説明】
【技術分野】
【０００１】
本発明は、光ディスク装置およびディスク判別方法に関し、特に、異なる種類のディスクを互換記録および／若しくは再生する光ディスク装置に用いて好適なものである。
【背景技術】
【０００２】
現在、ＣＤ（Compact Disc）やＤＶＤ（Digital Versatile Disc）等、様々な光ディスクが商品化され普及している。さらに、最近では、青紫レーザ光を用いて情報を記録再生する次世代ＤＶＤ（以下では、便宜上“ＨＤＤＶＤ”と称する）の規格化が進められている。かかるＨＤＤＶＤは、波長４０５ｎｍ程度の青紫レーザ光を用いて情報を記録再生するものである。レーザ光の短波長化によって、さらなる高密度化を図ることができる。
【０００３】
これらディスクを互換記録および／若しくは再生する光ディスク装置では、装着されたディスクが何れの種別にあるかを判別する手段が必要となる。ここで、判別手段の一つとして、ディスクに記録されているディスク種別情報を読み取る手法を用いることができる。しかし、この場合には、波長を変えながら読み取り動作を繰り返す必要が生じ、処理の煩雑化と、判別時間の長期化を招いてしまう。
【０００４】
そこで、以下の特許文献１では、ビームをディスク径方向に移動させたときのトラッキングエラー信号のピークトゥピーク値が基準値より大きいかによって、ＣＤ（低密度ディスク）とＤＶＤ（高密度ディスク）の判別を行うようにしている。これによれば、ディスク種別情報を読み取る必要がないため、判別処理の簡易化と迅速化を図ることができる。
【特許文献１】特開１１−２５０５５８号公報
【発明の開示】
【発明が解決しようとする課題】
【０００５】
しかしながら、特許文献１の発明では、ＣＤとＤＶＤの判別は可能であるが、ＤＶＤカテゴリーに含まれるディスクを細かく判別することはできない。ＤＶＤカテゴリーには、ＤＶＤ−Ｒ（Recordable）、ＲＷ（Re-Writable）、ＲＯＭ（Read Only Memory）、ＲＡＭ（Random Access Memory）があり、ディスク毎に制御が異なっている。このため、ディスク装着時には、ディスク種別を細かく判別し、制御を切り替える必要がある。特許文献１の発明では、ＤＶＤであることは判別できるが、そのうちどのタイプのディスクであるかを細かく判別できないため、結局、ディスクからディスク識別情報を読み取る必要が生じ、処理の迅速化に支障が生じる。
【０００６】
加えて、特許文献１の発明では、波長の大きいＣＤ用レーザ光をディスクに照射してディスク判別を行うものであるから、装着されたディスクがＤＶＤである場合に、トラッキングエラー信号を良好に生成できない惧れがある。この点は、さらに高密度のＨＤＤＶＤが装着された場合に顕著となり、この場合には、トラッキングエラー信号の波形がつぶれてしまう惧れがある。
【０００７】
そこで、本発明は、簡単な処理で円滑かつ迅速にディスク判別を行い得る光ディスク装置およびディスク判別方法を提供することを課題とする。
【課題を解決するための手段】
【０００８】
上記課題に鑑み本発明は、それぞれ以下の特徴を有する。
【０００９】
第１の発明は、光ディスク装置に関するものであって、レーザ光をディスクに照射する光ピックアップと、ディスクに対するレーザ光のフォーカス制御を行うフォーカス制御手段と、ディスクからの戻り光を受光してラジアルプッシュプル信号を生成出力する信号生成手段と、前記信号生成手段からのプッシュプル信号に基づいてディスク種別を判別するディスク判別手段とを備え、前記ディスク判別手段は、所定波長のレーザ光をディスクにフォーカス合わせしたときに前記信号生成手段から出力されるプッシュプル信号の振幅値に基づいてディスク種別を判別することを特徴とする。
【００１０】
この発明によれば、たとえば、ＤＶＤカテゴリーに含まれるディスク群のうち、ＤＶＤ−Ｒ、ＲＷを円滑に判別することができる。
【００１１】
第２の発明は、光ディスク装置に関するものであって、異なる波長のレーザ光をディスクに照射する光ピックアップと、ディスクに対するレーザ光のフォーカス制御を行うフォーカス制御手段と、ディスクからの戻り光を受光してラジアルプッシュプル信号を生成出力する信号生成手段と、前記信号生成手段からのプッシュプル信号に基づいてディスク種別を判別するディスク判別手段とを備え、前記ディスク判別手段は、所定波長のレーザ光をディスクにフォーカス合わせしたときに前記信号生成手段から出力されるプッシュプル信号の周期と振幅値に基づいてディスク種別を判別することを特徴とする。
【００１２】
ここで、前記ディスク判別手段は、たとえば、前記プッシュプル信号の周期に基づいて第１の判別を行い、さらに、前記第１の判別によって判別されたディスク種別に含まれるディスク群に対し前記プッシュプル信号の振幅値に基づいて第２の判別を行うようにすることができる。
【００１３】
この発明によれば、たとえば、第１の判別によって、ＤＶＤとＨＤＤＶＤを区分することができ、さらに、第２の判別によって、ＤＶＤカテゴリーに含まれるディスク群のうち、ＤＶＤ−Ｒ、ＲＷを区分することができる。
【００１４】
第３の発明は、光ディスク装置に関するものであって、異なる波長のレーザ光をディスクに照射する光ピックアップと、ディスクに対するレーザ光のフォーカス制御を行うフォーカス制御手段と、ディスクからの戻り光を受光して光量に応じた信号を出力する光量検出手段と、ディスクからの戻り光を受光してラジアルプッシュプル信号を出力する信号生成手段と、前記光量検出手段および前記信号生成手段からの信号に基づいてディスク種別を判別するディスク判別手段とを備え、前記ディスク判別手段は、所定波長のレーザ光をディスクにフォーカス合わせしたときに前記光量検出手段から出力される信号の大きさと、前記信号生成手段から出力されるプッシュプル信号の振幅値に基づいてディスク種別を判別することを特徴とする。
【００１５】
ここで、前記ディスク判別手段は、たとえば、前記プッシュプル信号の振幅値に基づいて第１の判別を行い、さらに、前記第１の判別によって判別されたディスク種別に含まれるディスク群に対し前記光量検出手段から出力される信号の大きさに基づいて第２の判別を行うようにすることができる。
【００１６】
この発明によれば、たとえば、第１の判別によって、ＤＶＤカテゴリーに含まれるディスク群のうち、ＤＶＤ−Ｒ、ＲＷを判別することができ、さらに、残されたＤＶＤ−ＲＯＭ、ＤＶＤ−ＲＡＭの内、第２の判別によって、ＤＶＤ−ＲＯＭ、ＤＶＤ−ＲＡＭの何れであるかを判別することができる。
【００１７】
第４の発明は、光ディスク装置に関するものであって、異なる波長のレーザ光をディスクに照射する光ピックアップと、ディスクに対するレーザ光のフォーカス制御を行うフォーカス制御手段と、ディスクからの戻り光を受光して光量に応じた信号を出力する光量検出手段と、ディスクからの戻り光を受光してラジアルプッシュプル信号を出力する信号生成手段と、前記光量検出手段および前記信号生成手段からの信号に基づいてディスク種別を判別するディスク判別手段とを備え、前記ディスク判別手段は、所定波長のレーザ光をディスクにフォーカス合わせしたときに前記光量検出手段から出力される信号の大きさと、前記信号生成手段から出力されるプッシュプル信号の周期および振幅値に基づいてディスク種別を判別することを特徴とする。
【００１８】
ここで、前記ディスク判別手段は、たとえば、前記プッシュプル信号の周期に基づいて第１の判別を行い、前記第１の判別によって判別されたディスク種別に含まれるディスク群に対し前記プッシュプル信号の振幅値に基づいて第２の判別を行い、さらに、前記第２の判別によって判別されたディスク種別に含まれるディスク群に対し光量検出手段から出力される信号の大きさに基づいて第３の判別を行うようにすることができる。
【００１９】
本発明によれば、たとえば、第１の判別によって、ＤＶＤとＨＤＤＶＤを区分することができ、また、第２の判別によって、ＤＶＤカテゴリーに含まれるディスク群のうち、ＤＶＤ−Ｒ、ＲＷ、を区分することができ、さらに、残されたＤＶＤ−ＲＯＭ、ＲＡＭのうち何れであるかを、第３の判別によって、判別することができる。
【００２０】
なお、上記発明において、前記ディスク判別手段は、ディスクに照射し得るレーザ光のうち波長が最も短いレーザ光をディスクに照射してディスク判別を行うようにすると良い。より具体的には、青紫レーザ光をディスクに照射してディスク判別を行うようにすると良い。こうすると、何れのディスクにおいても前記プッシュプル信号を良好に生成することができ、よって、ディスク判別を円滑に行えるようになる。
【００２１】
また、上記発明において、前記ディスク判別手段は、ディスクを回転させながら所定波長のレーザ光をディスクに照射してディスク判別を行うようにすると良い。こうすると、ディスク上において、レーザ光のパワーが局所的に集中するのを抑制することができ、装着されたディスクが記録可能ディスクである場合に、ディスク判別時のレーザ光照射によって、誤記録が発生するのを防止することができる。
【００２２】
さらに、上記発明において、前記ディスク判別手段は、ディスクに対してレーザ光を径方向に移動させたときの前記プッシュプル信号をもとにディスク判別を行うようにすると良い。こうすると、安定したプッシュプル信号を生成することができ、ディスクの誤判別を防止することができる。
【００２３】
この点についてさらに説明すると、ディスク回転時には、ディスクに対してレーザ光を径方向に移動させずとも、ディスクの偏芯（装着による偏芯とディスク製造時の偏芯がある）等の影響によって、ビームのクロストラックが生じプッシュプル信号が生成される。しかし、ディスクの偏芯が大きいと、トラックピッチの大きいディスクであっても、プッシュプル信号の周期が小さくなり、その結果、トラックピッチの小さいディスクと誤判別する惧れがある。逆に、ディスクの偏芯が極端に小さいと、プッシュプル信号の周期を読み取ることができず、ディスク判別が不可能となる場合がある。このように、ディスクの偏芯だけに頼ってディスク判別を行う場合には、ディスク偏芯の程度が判別精度に影響を与えるとの問題が生じる。
【００２４】
これに対し、上記のようにレーザ光をディスク径方向に移動させると、判別対象のディスクに対応して、安定したプッシュプル信号を生成することができる。これにより、上記のようなディスク誤判別や、判別不能といった不具合を防止することができる。
【００２５】
なお、上記各発明において、ディスク種別の判別は、より具体的には、ディスクからの戻り光量に応じた信号の大きさや、ラジアルプッシュプル信号の周期、振幅値を、ディスク種別に応じて設定した閾値と比較し、その大小関係から、ディスク種別を特定するものとして行うことができる。ここで、閾値は、これら信号の大きさ、周期、振幅値を互換対象のディスクについて予め測定・検証し、その検証結果に基づき、ディスク種別を円滑かつ適正に判別できる値を設定する。
【００２６】
なお、ＣＤ、ＤＶＤ、ＨＤＤＶＤに対する測定・検証は、本件発明者によって行われ、以下に示す実施の形態において、その閾値とともに示されている。
【００２７】
本発明は、上記に示す「光ディスク装置」としての局面の他、「ディスク判別方法」の局面として把握することもできる。
【発明の効果】
【００２８】
本発明によれば、ディスクからの戻り光量に応じた信号の大きさと、ラジアルプッシュプル信号の周期および振幅値に基づいてディスク種別を判別するものであるから、既存の光部品や回路構成をそのまま用いながら、簡易かつ円滑にディスク判別を行うことができる。
【００２９】
特に、プッシュプル信号の振幅値をもとにディスク種別を判別するといった新たな手法を用いることにより、たとえば、ＤＶＤカテゴリー中のディスクをさらに細かく判別することができる等、同一カテゴリー中のディスク群の中から所定のディスクを特定することができるようになる。
【００３０】
本発明の特徴ないし意義は、以下に示す実施形態の説明により更に明らかとなろう。但し、以下の実施形態は、本発明の一つの例示であって、本発明ないし各構成要件の用語の意義は、以下の実施形態に記載されたものに制限されるものではない。
【発明を実施するための最良の形態】
【００３１】
以下、本発明の実施形態につき図面を参照して説明する。なお、本実施形態は、ＣＤ、ＤＶＤ、ＨＤＤＶＤ互換の光ディスク装置（記録再生装置）に本発明を適用した場合を例示するものである。
【００３２】
図２に、実施の形態に係る光ディスク装置の構成を示す。
【００３３】
図示の如く、光ディスク装置は、エンコーダ１０１と、変調回路１０２と、レーザ駆動回路１０３と、レーザパワー調整回路１０４と、光ピックアップ１０５と、信号生成回路１０６と、復調回路１０７と、デコーダ１０８と、サーボ回路１０９と、コントローラ１１０から構成されている。
【００３４】
エンコーダ１０１は、入力された記録データに対し誤り訂正符号の付加等のエンコード処理を施し、変調回路１０２へと出力する。変調回路１０２は、入力された記録データに所定の変調を施し、さらに記録信号を生成してレーザ駆動回路１０３に出力する。
【００３５】
レーザ駆動回路１０３は、記録時には変調回路１０２からの記録信号に応じた駆動信号を、ＣＤ用（赤外：波長780nm）、ＤＶＤ用（赤：波長650nm）、ＨＤＤＶＤ用（青紫：波長405ｎｍ）のうち対応する半導体レーザ１０５ａに出力し、再生時には一定強度のレーザ光を出射するための駆動信号を、対応する半導体レーザ１０５ａに出力する。ここで、レーザパワーは、レーザパワー調整回路１０４によって調整・設定される。
【００３６】
レーザパワー調整回路１０４は、コントローラ１１０からの指令に応じてレーザパワーを設定・調整する。なお、ディスク判別処理時には、ＨＤＤＶＤ用の半導体レーザ１０５ａに再生パワーレベルのレーザ光を出力させるよう調整する。
【００３７】
光ピックアップ１０５は、半導体レーザ１０５ａおよび光検出器１０５ｂを備え、さらに、トラックに対するレーザ光の照射状態を調整するための対物レンズアクチュエータ（図示せず）と、半導体レーザ１０５ａから出射されたレーザ光を対物レンズに導き、且つ、ディスク１００からの反射光を光検出器１０５ｂに導くための光学系（図示せず）等を備えている。
【００３８】
なお、半導体レーザ１０５ａは、それぞれＣＤ用（赤外：波長780nm）、ＤＶＤ用（赤：波長650ｎｍ）、ＨＤＤＶＤ用（青紫：波長405ｎｍ）のレーザ光を出射する３つの半導体レーザからなっている。これら半導体レーザは、同一ＣＡＮ内に収容されていてもよく、あるいは、独立した３つのＣＡＮ内にそれぞれ収容され、光ピックアップ１０５のベース上に個別に配置されるものであっても良い。光学系は、半導体レーザの構成に応じて適宜、その構成・配置が変更される。
【００３９】
なお、光学系を構成する各部品のうち対物レンズは、ＨＤＤＶＤ用レーザ光を適正にディスク上に収束させ得るよう設計されている。また、光学系には、ＤＶＤ用レーザ光とＣＤ用レーザ光を使用する際に生じる収差を抑制するための収差補正素子（回折素子、位相補正素子、等）や、ＣＤ用レーザ光を使用する際に対物レンズに対する開口数を制限するための開口数制限素子（液晶シャッター、回折素子、等）が含まれている。
【００４０】
信号生成回路１０６は、光検出器１０５ｂから受信した信号を増幅および演算処理して各種信号を生成し、これを対応する回路に出力する。
【００４１】
なお、信号生成回路１０６は、ラジアル方向（ディスク径方向）の反射ビーム強度分布を検出する一対の光センサーから信号を減算増幅してラジアルプッシュプル信号（以下、“ＲＰＰ信号”という）を生成する回路を備え、さらに、このＲＰＰ信号の低周波成分を抽出してトラッキングエラー信号を生成する回路と、ＲＰＰ信号の高周波成分を抽出してウォブル信号を生成する回路を備えている。
【００４２】
また、信号生成回路１０６は、反射ビームを受光する全センサーからの信号を加算して、反射光量に応じた信号（ＳＵＭ信号）を生成出力する回路を備えている。さらに、光センサーからの信号を演算処理してフォーカスエラー信号を生成する回路を備えている。なお、ＳＵＭ信号は、反射光量に応じたものとして導出されればよく、上記のように全センサーからの信号を加算して生成される他、全センサーのうち所定のセンサーからの出力を加算して生成されるようにしても良い。
【００４３】
復調回路１０７は、信号生成回路１０６から入力された再生ＲＦ信号を復調して再生データを生成し、デコーダ１０８に出力する。デコーダ１０８は、復調回路１０７から入力されたデータに対して誤り訂正等のデコード処理を施し、後段回路に出力する。
【００４４】
サーボ回路１０９は、信号生成回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号生成回路１０６から入力された同期検出信号またはウォブル信号からモータサーボ信号を生成し、ディスク駆動モータに出力する。
【００４５】
コントローラ１１０は、内蔵メモリに各種データを格納するとともに、あらかじめ設定されたプログラムに従って、各部を制御する。
【００４６】
図２に、ディスク判別処理の際の処理フローチャートを示す。なお、かかるディスク判別処理は、たとえば、ディスクが光ディスク装置に装着されたタイミングで行われる。
【００４７】
処理フローが開始されると、まず、光ピックアップ１０５が所定の半径位置（例えば、ＣＤのプログラム開始位置である半径25mmの位置）に移動され（Ｓ１０１）、ディスクが所定速度で回転される（Ｓ１０２）。次いで、半導体レーザ１０５ａのうち、ＨＤＤＶＤ用レーザ光を出射する半導体レーザが再生パワーレベルにて点灯され、同時に、光学系（収差補正素子、開口制限素子、等）が、ＨＤＤＶＤ再生モードに設定される（Ｓ１０３）。
【００４８】
しかる後、フォーカスサーボの引き込み動作が開始され、フォーカスＯＮのタイミングにおけるＳＵＭ信号の値がコントローラ１１０に取得される（Ｓ１０５）。具体的には、図４に示すように、フォーカスエラー信号のゼロクロス位置におけるＳＵＭ信号が取得される。
【００４９】
次に、レーザ光がディスク径方向に一定速度で移動される（Ｓ１０６）。かかる移動は、対物レンズをディスク径方向に移動させることにより行われる。たとえば、対物レンズ駆動アクチュエータに速度に応じた駆動信号を印加することで行われ、あるいは、光ピックアップ１０５を径方向に送るスレッドモータに駆動信号を印加することによって行われる。なお、この移動は、リードイン領域方向ではなく、プログラム領域方向、すなわちディスク外周方向に向けて行うのが好ましい。
【００５０】
なお、移動速度は、ディスクを半周させる間にビームが最大偏芯分の距離を径方向に移動する速度よりも十分早い速度とすれば良い。具体的には、ＨＤＤＶＤでは、線速度はおよそ5〜6m/sに増加しており、最内周ｒ＝25mmでの１回転所要時間は31ms（線速度5m/sの場合）であり、偏芯量は最大0.3mm以内と推定できる。よって、この場合には、
平均移動速度＞0.3／（31／２）＝0.019m/s
となるため、たとえば、これより十分速い0.1m/sでビームを径方向に移動させれば良い。
【００５１】
しかして、レーザ光がディスク径方向に移動させると、これに応じて、信号生成回路１０６にてＲＰＰ信号が生成され、コントローラ１１０に入力される。このとき、ＲＰＰ信号は、図５に示す如く、装着されたディスクがＤＶＤであるか、それより高密度のＨＤＤＶＤであるかによって、信号周期（ゼロクロス点間隔Ｔ）が相違する。なお、装着されたディスクがＣＤの場合、ゼロクロス点間隔Ｔは、同図におけるＤＶＤのゼロクロス点間隔よりもさらに大きくなる。コントローラ１１０は、まず、ＲＰＰ信号のゼロクロス点間隔Ｔを測定し（Ｓ１０７）、さらに、ＲＰＰ信号の振幅Ａ（Peak-to-Peak）を測定する（Ｓ１０８）。かかる測定が終了すると、レーザ光の移動が終了される（Ｓ１０９）。
【００５２】
しかる後、コントローラ１１０は、まず、測定したゼロクロス点間隔Ｔが閾値Ｔ１以下であるかを判別する（Ｓ１１０）。そして、閾値Ｔ１以下であれば（Ｓ１１０：Ｙ）、当該ディスクはＨＤＤＶＤであると判別し（Ｓ１１１）、閾値Ｔ１以上であれば（Ｓ１１０：Ｎ）、当該ディスクはＤＶＤまたはＣＤであると判別する（Ｓ１１２）。なお、閾値Ｔ１は、ＤＶＤ、ＣＤとＨＤＤＶＤを切り分けることができる値に設定されている。
【００５３】
具体的には、現行ＣＤのトラックピッチは1.6μm、ＤＶＤは0.74μmであり、また、次世代ＤＶＤは、0.32〜0.4μm程度のものが提案されていることから、0.1m/sにてビームを径方向に移動させるとすると、閾値T1は、3.5μs程度とすれば良い。
【００５４】
なお、ゼロクロス点間隔の取得に際しては、ビームを径方向に往復移動させるなどしてビームの移動を数回行い、その際に取得されるゼロクロス点間隔の中から最小のゼロクロス点間隔を当該ディスクのゼロクロス点間隔として取得する。こうして取得したゼロクロス点間隔を閾値T１と比較するようにすると、測定エラーを効果的に軽減させることができるようになる。
【００５５】
Ｓ１１０の判別結果からＤＶＤまたはＣＤであると判別されると（Ｓ１１２）、さらにＲＰＰ信号の振幅値ＡとＳＵＭ信号をもとに、当該ディスクがＤＶＤ−Ｒ、ＲＷ、ＲＯＭ、ＲＡＭの何れであるか、あるいは、ＣＤであるかが判別される（Ｓ１１３）。以下、図３を参照して、Ｓ１１３における処理の詳細を説明する。
【００５６】
かかる判別においては、まず、ＲＰＰ信号の振幅値Ａが閾値Ａ１以下であるかが判別される（Ｓ２０１）。ここで、閾値Ａ１以下であれば（Ｓ２０１：Ｙ）、次に、ＳＵＭ信号が閾値Ｓ２以下であるかが判別される（Ｓ２０２）。そして、閾値Ｓ２以下であれば（Ｓ２０２：Ｙ）、当該ディスクはＤＶＤ―ＲＡＭであると判別される（Ｓ２０３）。また、閾値Ｓ２を越えていれば（Ｓ２０２：Ｎ）、さらに、ＳＵＭ信号が閾値Ｓ１（Ｓ１＞Ｓ２：図４参照）以上であるかが判別される（Ｓ２０４）。そして、閾値Ｓ１以上であれば（Ｓ２０４：Ｙ）、当該ディスクはＤＶＤ−ＲＯＭとして判別され（Ｓ２０５）、閾値Ｓ１より小さければ（Ｓ２０４：Ｎ）、当該ディスクはＣＤ（ＣＤ−ＲＯＭ／Ｒ、等）として判別される（Ｓ２０６）。
【００５７】
一方、Ｓ２０１にて、振幅値Ａが閾値Ａ１を越えていると判別されると、次いで、振幅値Ａが閾値Ａ２以上であるかが判別される（Ｓ２０７）。そして、振幅値Ａが閾値Ａ２以上であれば（Ｓ２０７：Ｙ）、当該ディスクはＤＶＤ±ＲＷであると判別され（Ｓ２０８）、また、振幅値Ａが閾値Ａ２よりも小さければ（Ｓ２０７：Ｎ）、当該ディスクはＤＶＤ±Ｒであると判別される（Ｓ２０９）。
【００５８】
図６に、ＲＰＰ信号の振幅値（Peak-to-Peak）およびＳＵＭ信号の値との関係を、ディスク毎およびメーカ毎に区分して検証した検証結果を示す。
【００５９】
図示の如く、ＤＶＤ−ＲＯＭ、ＲＡＭとＤＶＤ±Ｒとの間には、ＲＰＰ信号に２００ｍＶ程度の開きがあり、また、ＤＶＤ±ＲとＤＶＤ±ＲＷとの間には、ＲＰＰ信号に３００ｍＶ程度の開きがあることが分かる。よって、図３の処理フローにおいて、閾値Ａ１をＤＶＤ−ＲＯＭ、ＲＡＭとＤＶＤ±ＲのＲＰＰ信号振幅値の中間値である２００ｍＶ程度に設定し、且つ、閾値Ａ２をＤＶＤ±ＲとＤＶＤ±ＲＷのＲＰＰ信号振幅値の中間値である４５０ｍＶ程度に設定することにより、Ｓ２０１とＳ２０７の比較処理にて、ＤＶＤ−ＲＯＭ、ＲＡＭと、ＤＶＤ±Ｒと、ＤＶＤ±ＲＷを区分することができる。
【００６０】
また、同図に示す如く、ＤＶＤ−ＲＯＭとＤＶＤ−ＲＡＭは、ＲＰＰ信号の振幅値が接近しているが、ＳＵＭ信号には大きな開きが見られる。よって、図３の処理フローにおいて、閾値Ｓ２を、かかるＳＵＭ信号の差異に応じて、たとえば、１．０Ｖ程度に設定することにより、Ｓ２０２の処理にて、ＤＶＤ−ＲＯＭと、ＤＶＤ−ＲＡＭを区別することができる。
【００６１】
なお、同図に示す如く、ＣＤのＲＰＰ信号の振幅値は５０〜８０ｍＶ程度であり、また、そのＳＵＭ信号の大きさは２．０〜２．９Ｖ程度であるため、上記のように閾値Ａ１と閾値Ｓ２を設定すると、Ｓ２０２にてＳＵＭ信号＞閾値Ｓ２（Ｓ２０２：Ｎ）として判別されるディスクには、ＤＶＤ−ＲＯＭとＣＤの２種類が含まれることとなる。しかし、図６に示す如く、ＤＶＤ−ＲＯＭとＣＤは、ＳＵＭ信号の大きさに開きが見られるため、かかるＳＵＭ信号の差異に応じて、閾値Ｓ１を、たとえば３．５Ｖ程度に設定すれば、Ｓ２０４の処理にて、ＤＶＤ−ＲＯＭとＣＤを区別することができる。
【００６２】
以上のように、本実施形態によれば、ＳＵＭ信号の値とＲＰＰ信号の周期（ゼロクロス点間隔Ｔ）および振幅値Ａから、ＣＤ、ＤＶＤ、ＨＤＤＶＤを円滑に識別することができる。また、ＲＰＰ信号の振幅値ＡにＳＵＭ信号による評価を加えることにより、ＤＶＤカテゴリーに含まれるＤＶＤ−ＲＯＭ、ＲＡＭ、Ｒ、ＲＷならびにＣＤ系を円滑に区分することができる。
【００６３】
なお、ＨＤＤＶＤについては、未だ商品化前の研究過程にあるため、上記実施の形態における図６には検証結果がなされていないが、材料や規格形状等を考慮すると、ＲＰＰ信号の振幅値およびＳＵＭ信号の値には、ＤＶＤの場合と同様の傾向が見られるものと予測できる。よって、適当な閾値を設定することにより、上記ＤＶＤの場合と同様、ＨＤＤＶＤカテゴリーに含まれるディスク群をさらに細かく区分することができるものと期待できる。あるいは、ＨＤＤＶＤと判別された後は、そのまま青紫レーザ光によりディスク識別情報を読み取り、ＨＤＤＶＤ−ＲＯＭ、ＲＷ等を判別してそれぞれのディスクに適した再生モードとなるように各種制御を切り替えて、再生することも可能である。
【００６４】
なお、本実施形態によれば、通常の記録再生時において用いられるＳＵＭ信号とＲＰＰ信号を用いてディスク判別を行うものであるため、ディスク判別のために特別な構成を別途準備する必要がなく、よって、構成の複雑化を招くこともない。本実施の形態によれば、このような効果を副次的に奏することができる。
【００６５】
以上、本発明に係る実施形態について説明したが、本発明は、かかる実施形態に限定されるものではなく、他に種々の変更が可能であることは言うまでもない。
【００６６】
たとえば、上記実施形態では、ＣＤ、ＤＶＤ、ＨＤＤＶＤ互換の光ディスク装置に本発明を適用した例を示したが、本発明は、ＣＤ、ＤＶＤ互換の光ディスク装置や、ＤＶＤ、ＨＤＤＶＤ互換の光ディスク装置など、互換対象ディスクの組み合わせを変更した光ディスク装置にも適用可能である。この場合、たとえば、ＤＶＤ、ＨＤＤＶＤ互換の光ディスク装置の場合には、図３に示すフローチャートのうち、ＣＤを判別するための処理、すなわち、Ｓ２０４とＳ２０６の処理が省略される。このように、互換対象ディスクの組み合わせに応じて、図２および図３のフローチャートは、適宜、ステップが省略されることとなる。
【００６７】
なお、本件発明者は、青紫レーザ光によるＨＤＤＶＤ用光学系を用いて、ＤＶＤカテゴリーであるＤＶＤ−ＲＯＭ、ＲＷ等のディスクが再生可能であることを既に確認している。この方法を用いることにより、判別されたディスクがＤＶＤカテゴリーであっても、ＤＶＤ用レーザ光に切り替えることなく再生し、これにより、さらなる処理の迅速化を図ることが可能である。
【００６８】
なお、本発明は、ＤＶＤカテゴリーのディスクのみを扱う光ディスク装置に適用することも可能である。この場合には、図２および図３の処理フローのうち、ＣＤ判別とＨＤＤＶＤ判別に必要な処理ステップ、すなわち、Ｓ１０７、Ｓ１１０およびＳ１１１と、Ｓ２０４およびＳ２０６の処理が省略される。
【００６９】
また、上記では、ＲＰＰ信号の周期（ゼロクロス点間隔Ｔ）をもとにＤＶＤとＨＤＤＶＤを判別するようにしたが、この他の手法にてＤＶＤとＨＤＤＶＤの判別を行うよう変更することもできる。但し、ディスク判別にＲＰＰ信号の振幅値Ａを用いることからすると、ＤＶＤとＨＤＤＶＤの判別にＲＰＰ信号を用いるのが処理の簡素化には有利であり、好ましくは、上記のように、ＲＰＰ信号の周期（ゼロクロス点間隔Ｔ）をもとにＤＶＤとＨＤＤＶＤを判別するようにするのが良い。
【００７０】
この他、本発明の実施の形態は、特許請求の範囲に示された技術的思想の範囲内において、適宜、種々の変更が可能である。
【図面の簡単な説明】
【００７１】
【図１】実施の形態に係る光ディスク装置の構成を示す図
【図２】実施の形態に係るディスク判別時の処理フローを示す図
【図３】ディスク判別時の処理フロー中のＳ１１５の処理の詳細を示す図
【図４】実施の形態に係るＳＵＭ信号の生成手法を説明する図
【図５】実施の形態に係るＲＰＰ信号の状態を示す図
【図６】実施の形態に係る検証例を示す図
【符号の説明】
【００７２】
１０５    光ピックアップ
１０５ａ  半導体レーザ
１０５ｂ  光検出器
１０６    信号生成回路
１０９    サーボ回路
１１０    コントローラ
【図１】
2006031779.tif 000003
【図２】
2006031779.tif 000004
【図３】
2006031779.tif 000005
【図４】
2006031779.tif 000006
【図５】
2006031779.tif 000007
【図６】
2006031779.tif 000008